(57)【要約】【課題】ユーザーの利便性と情報漏洩に対する安全性とを共に高める。【解決手段】携帯端末２００により位置情報を示すビーコン信号（電波）を送信し、ＭＦＰ１００（電子機器）により携帯端末２００との距離に応じたビーコン信号の強度の変化に合わせ、携帯端末２００から受け取ったアドレス帳のアドレス情報の登録と、表示と、削除とを実行する。ＭＦＰ１００が距離に応じた携帯端末２００からのビーコン信号の強度の変化に合わせ、携帯端末２００から受け取ったアドレス帳のアドレス情報の登録と、表示と、削除とを実行することで、ユーザーによるアドレス情報の登録、表示、削除に関わるそれぞれの操作を無くすことができる。また、ＭＦＰ１００が距離に応じた携帯端末２００からのビーコン信号の強度の変化に合わせ、登録したアドレス帳のアドレス情報を削除することで、アドレス情報の漏洩を防止できる。【選択図】図１
2019034518.tif 000002
【特許請求の範囲】
【請求項１】
電波を一定出力で送信する携帯端末と、
前記電波を受信し、前記携帯端末との距離に応じた前記受信した電波の強度の変化に合わせ、前記携帯端末から受け取ったアドレス帳のアドレス情報の登録と、表示と、削除とを実行する電子機器とを備える
ことを特徴とするアドレス帳表示システム。
【請求項２】
前記電子機器は、
前記受信した電波の強度の変化を、第１のレベル〜第３のレベル（第１のレベル＞第２のレベル＞第３のレベル）の３段階で判断し、
前記第３のレベルのとき、前記携帯端末に対して前記アドレス情報の登録を促すメッセージを通知し、
前記第２のレベルのとき、前記携帯端末から受け取った前記アドレス情報を記憶デバイスに登録し、
前記第１のレベルのとき、前記記憶媒体に登録したアドレス情報をパネル部に表示させ、
前記第１のレベルから前記第２のレベルに変化したとき、前記記憶デバイスに登録したアドレス情報を削除する
ことを特徴とする請求項１に記載のアドレス帳表示システム。
【請求項３】
携帯端末が一定出力で送信する電波を受信する受信部と、
前記携帯端末との距離に応じて変化する前記受信した電波の強度を検出する強度検出部と、
前記携帯端末から受け取ったアドレス帳のアドレス情報を登録する記憶デバイスと、
前記アドレス情報を表示するパネル部と、
前記強度検出部が検出した前記受信した電波の強度の変化に合わせ、前記記憶デバイスへの前記アドレス情報の登録と、前記パネル部への前記アドレス情報の表示と、前記記憶デバイスに登録した前記アドレス情報の削除とを制御するシステム制御部とを備える
ことを特徴とする電子機器。
【請求項４】
前記システム制御部は、
前記受信した電波の強度の変化を、第１のレベル〜第３のレベル（第１のレベル＞第２のレベル＞第３のレベル）の３段階で判断し、
前記第３のレベルのとき、前記携帯端末に対して前記アドレス情報の登録を促すメッセージを通知し、
前記第２のレベルのとき、前記携帯端末から受け取った前記アドレス情報を前記記憶デバイスに登録し、
前記第１のレベルのとき、前記記憶媒体に登録したアドレス情報をパネル部に表示させ、
前記第１のレベルから前記第２のレベルに変化したとき、前記記憶デバイスに登録したアドレス情報を削除する
ことを特徴とする請求項３に記載の電子機器。
【請求項５】
受信部により、携帯端末が一定出力で送信する電波を受信する工程と、
強度検出部により、前記携帯端末との距離に応じて変化する前記受信した電波の強度を検出する工程と、
記憶デバイスにより、前記携帯端末から受け取ったアドレス帳のアドレス情報を登録する工程と、
パネル部により、前記アドレス情報を表示する工程と、
システム制御部により、前記強度検出部が検出した前記受信した電波の強度の変化に合わせ、前記記憶デバイスへの前記アドレス情報の登録と、前記パネル部への前記アドレス情報の表示と、前記記憶デバイスに登録した前記アドレス情報の削除とを制御する工程とを電子機器を制御するコンピューターに実行させる
ことを特徴とするアドレス帳表示プログラム。
【発明の詳細な説明】
【技術分野】
【０００１】
本発明は、アドレス帳の利用に適したアドレス帳表示システム、電子機器、アドレス帳表示プログラムに関する。
【背景技術】
【０００２】
たとえば、電子機器である、多機能プリンターや、ＭＦＰ(Multifunction Peripheral)等の画像形成装置においては、印刷機能、コピー機能、ＦＡＸ機能、ネットワーク経由でのデータ送受信機能に加え、たとえばスマートフォン等の携帯端末との間でデータのやり取りを行う無線通信機能を備えた機種がある。
【０００３】
このような無線通信機能を備えた画像形成装置に関するものとして、特許文献１では、携帯ＰＯＳ端末の距離検出部が検出する、複数のプリンターから発信されるＢＬＥ（Bluetooth（登録商標） Low Energy：以下、ビーコン信号という）の強度に基づいて最も近いプリンターを検出し、携帯ＰＯＳ端末の処理実行制御部により検出したプリンターに対し、無線ＬＡＮ（Local Area Network）を用いて印刷処理の実行を指示する制御システムであって、携帯ＰＯＳ端末が特定のプリンターに対して無線ＬＡＮにより印刷データを送信している間であっても、他の携帯ＰＯＳ端末がビーコン信号を受信することで、特定のプリンターを含め複数のプリンターの中から最も近くにあるプリンターを検出できるようにした制御システムを提案している。
【先行技術文献】
【特許文献】
【０００４】
【特許文献１】特開２０１５−２００９８９号公報
【発明の概要】
【発明が解決しようとする課題】
【０００５】
上述した特許文献１の制御システムでは、携帯ＰＯＳ端末が特定のプリンターに対して無線ＬＡＮにより印刷データを送信している間であっても、他の携帯ＰＯＳ端末がビーコン信号を受信することで、特定のプリンターを含め複数のプリンターの中から最も近くにあるプリンターを検出できるため、最も近くにあるプリンターを確実に検出できる。
【０００６】
ところで、特許文献１の制御システムでは、無線ＬＡＮにより、携帯ＰＯＳ端末からプリンターに印刷データを送信することで、プリンターによる印刷データの出力が可能となるものの、たとえばスマートフォン等の携帯端末が有するアドレス帳のアドレス情報をプリンターに送信して登録したり、表示させたり、削除したりする場合、たとえばプリンター側のパネル部を介しての操作が必要となる。
【０００７】
この場合、アドレス情報の登録、表示、削除のそれぞれにおいての操作が必要となり、操作の煩わしさからユーザーの利便性が低下するという問題がある。しかも、プリンター側に登録したアドレス情報の削除をし忘れると、アドレス情報が漏洩してしまうおそれがあり、情報漏洩に対する安全性が低下するという問題もある。
【０００８】
本発明は、このような状況に鑑みてなされたものであり、上記問題点を解消することができるアドレス帳表示システム、電子機器、アドレス帳表示プログラムを提供することを目的とする。
【課題を解決するための手段】
【０００９】
本発明のアドレス帳表示システムは、電波を一定出力で送信する携帯端末と、前記電波を受信し、前記携帯端末との距離に応じた前記受信した電波の強度の変化に合わせ、前記携帯端末から受け取ったアドレス帳のアドレス情報の登録と、表示と、削除とを実行する電子機器とを備えることを特徴とする。
また、前記電子機器は、前記受信した電波の強度の変化を、第１のレベル〜第３のレベル（第１のレベル＞第２のレベル＞第３のレベル）の３段階で判断し、前記第３のレベルのとき、前記携帯端末に対して前記アドレス情報の登録を促すメッセージを通知し、
前記第２のレベルのとき、前記携帯端末から受け取った前記アドレス情報を記憶デバイスに登録し、前記第１のレベルのとき、前記記憶媒体に登録したアドレス情報をパネル部に表示させ、前記第１のレベルから前記第２のレベルに変化したとき、前記記憶デバイスに登録したアドレス情報を削除することを特徴とする。
本発明の電子機器は、携帯端末が一定出力で送信する電波を受信する受信部と、前記携帯端末との距離に応じて変化する前記受信した電波の強度を検出する強度検出部と、前記携帯端末から受け取ったアドレス帳のアドレス情報を登録する記憶デバイスと、前記アドレス情報を表示するパネル部と、前記強度検出部が検出した前記受信した電波の強度の変化に合わせ、前記記憶デバイスへの前記アドレス情報の登録と、前記パネル部への前記アドレス情報の表示と、前記記憶デバイスに登録した前記アドレス情報の削除とを制御するシステム制御部とを備えることを特徴とする。
また、前記システム制御部は、前記受信した電波の強度の変化を、第１のレベル〜第３のレベル（第１のレベル＞第２のレベル＞第３のレベル）の３段階で判断し、前記第３のレベルのとき、前記携帯端末に対して前記アドレス情報の登録を促すメッセージを通知し、前記第２のレベルのとき、前記携帯端末から受け取った前記アドレス情報を前記記憶デバイスに登録し、前記第１のレベルのとき、前記記憶媒体に登録したアドレス情報をパネル部に表示させ、前記第１のレベルから前記第２のレベルに変化したとき、前記記憶デバイスに登録したアドレス情報を削除することを特徴とする。
本発明のアドレス帳表示プログラムは、受信部により、携帯端末が一定出力で送信する電波を受信する工程と、強度検出部により、前記携帯端末との距離に応じて変化する前記受信した電波の強度を検出する工程と、記憶デバイスにより、前記携帯端末から受け取ったアドレス帳のアドレス情報を登録する工程と、パネル部により、前記アドレス情報を表示する工程と、システム制御部により、前記強度検出部が検出した前記受信した電波の強度の変化に合わせ、前記記憶デバイスへの前記アドレス情報の登録と、前記パネル部への前記アドレス情報の表示と、前記記憶デバイスに登録した前記アドレス情報の削除とを制御する工程とを電子機器を制御するコンピューターに実行させることを特徴とする。
本発明のアドレス帳表示システム、電子機器、及びアドレス帳表示プログラムでは、携帯端末によりたとえば位置情報を示す電波を一定出力で送信し、電子機器により携帯端末との距離に応じた電波の強度の変化に合わせ、携帯端末から受け取ったアドレス帳のアドレス情報の登録と、表示と、削除とを実行する。
このように、電子機器が携帯端末からの電波を受信し、距離に応じた携帯端末からの電波の強度の変化に合わせ、携帯端末から受け取ったアドレス帳のアドレス情報の登録と、表示と、削除とを実行することで、ユーザーによるアドレス情報の登録、表示、削除に関わるそれぞれの操作を無くすことができる。また、電子機器が距離に応じた携帯端末からの電波の強度の変化に合わせ、登録したアドレス帳のアドレス情報を削除することで、アドレス情報の漏洩を確実に防止できる。
【発明の効果】
【００１０】
本発明のアドレス帳表示システム、電子機器、アドレス帳表示プログラムによれば、ユーザーによるアドレス情報の登録、表示、削除に関わるそれぞれの操作を無くすことができ、併せてアドレス情報の漏洩を確実に防止できるので、ユーザーの利便性と情報漏洩に対する安全性とを共に高めることができる。
【図面の簡単な説明】
【００１１】
【図１】本発明のアドレス帳表示システムの一実施形態を説明するための図である。
【図２】図１のＭＦＰ及び携帯端末の構成の一例について説明するための図である。
【図３】図２のＭＦＰのシステム制御部が携帯端末の位置を判断する際に参照する距離判断グラフの一例を示す図である。
【図４】図１のＭＦＰ側での携帯端末から受け取ったアドレス帳のアドレス情報に対する処理について説明するためのフローチャートである。
【発明を実施するための形態】
【００１２】
以下、本発明のアドレス帳表示システムの一実施形態を、図１〜図４を参照しながら説明する。なお、以下の説明においての電子機器の一例としては、たとえば印刷機能、コピー機能、ＦＡＸ機能、ネットワーク経由でのデータ送受信機能等を搭載した複合的な周辺機器であるＭＦＰ（Multifunction Peripheral）であるものとする。また、以下に説明する携帯端末からのアドレス帳のアドレス情報は、たとえばＭＦＰのＦＡＸ機能やデータ送信等を利用するとき、相手先の設定に用いることを想定している。
【００１３】
まず、図１に示すＭＦＰ１００は、スマートフォン等の携帯端末２００が発信するＢＬＥ（Bluetooth（登録商標） Low Energy：以下、ビーコン信号という）を受信し、携帯端末２００の位置を判断する。ここで、携帯端末２００からのビーコン信号は、一定間隔（たとえば１秒間隔）且つ一定出力で発信されるものとする。また、ＭＦＰ１００側では、一定間隔（たとえば１秒間隔）で携帯端末２００から受信したビーコン信号の強度（dBm）を検出し、携帯端末２００の位置を判断するものとする（以下、「ビーコン信号の強度」とは、ＭＦＰ１００が携帯端末２００から受信したビーコン信号の強度を示す。）。また、ＭＦＰ１００は、携帯端末２００が発信するビーコン信号の強度（dBm）の検出結果に応じて、携帯端末２００に対しアドレス帳の登録を促すメッセージの通知に加え、携帯端末２００から受け取ったアドレス帳のアドレス情報の登録、表示、削除の処理を実行する。なお、携帯端末２００に対してアドレス帳の登録を促すメッセージの通知に加え、アドレス帳のアドレス情報の登録、表示、削除の処理を実行する際のタイミングは、たとえば第１のレベル〜第３のレベル（第１のレベル＞第２のレベル＞第３のレベル）の３段階に分けたビーコン信号の強度（dBm）に基づくものとする。また、携帯端末２００が発信するビーコン信号の受信可能な距離を、たとえば半径２０ｍとする。携帯端末２００が発信するビーコン信号の受信可能な距離については、半径２０ｍに限定されるものではなく、半径２０ｍ未満であってもよいし、半径２０ｍを超えてもよい。また、上述のメッセージの通知に加え、アドレス帳のアドレス情報の登録、表示、削除の処理を実行する際のタイミングについては、第１のレベル〜第３のレベルの３段階に分けたビーコン信号の強度（dBm）に基づくものに限定するものではなく、レベルを４段階以上、又は２段階としてもよい。
【００１４】
ここで、第１のレベルは、ビーコン信号の強度（dBm）が最も高いものとし、たとえば−３０dBm（図３参照）とする。また、この第１のレベルは、発信元の携帯端末２００からたとえば１ｍの位置で検出できるものとする。第２のレベルは、ビーコン信号の強度（dBm）が第１のレベルの次に高いものとし、たとえば−６３dBm（図３参照）とする。また、この第２のレベルは、発信元の携帯端末２００からたとえば１２ｍの位置で検出できるものとする。第３のレベルは、ビーコン信号の強度（dBm）が第２のレベルの次に高いものとし、たとえば−６７dBm（図３参照）とする。また、この第３のレベルは、発信元の携帯端末２００からたとえば２０ｍの位置で検出できるものとする。
【００１５】
ＭＦＰ１００は、携帯端末２００からのビーコン信号の強度（dBm）の第１のレベルを検出すると、携帯端末２００が最も接近していると判断できる。また、ＭＦＰ１００は、携帯端末２００からのビーコン信号の強度（dBm）の第２のレベルを検出すると、携帯端末２００が遠いことを判断できる。また、ＭＦＰ１００は、携帯端末２００からのビーコン信号の強度（dBm）の第３のレベルを検出すると、携帯端末２００が最も遠いことを判断できる。
【００１６】
携帯端末２００が発信するビーコン信号には、携帯端末２００に接続するための接続情報と、ＭＦＰ１００でのログイン処理に必要なユーザーＩＤ等のユーザー識別情報とが含まれている。そして、ＭＦＰ１００は、詳細については後述するが、携帯端末２００からのビーコン信号の強度（dBm）の第３のレベルを検出すると、携帯端末２００に対してアドレス帳の登録を促すメッセージを通知する。なお、携帯端末２００に対してアドレス帳の登録を促すメッセージの通知のタイミングのレベルは、第３のレベルに限定されるものではない。第３のレベルより一定レベルだけ高い値、又は低い値を基準としてもよい。また、メッセージには、ＭＦＰ１００の識別情報（たとえば、ＭＡＣアドレス、及びＩＰアドレス）が含まれている。
【００１７】
ＭＦＰ１００は、携帯端末２００によってアドレス帳の登録が指示されると、指定されたアドレス帳のアドレス情報を受け取り、後述の図２に示すＨＤＤ１０５に登録する。なお、ＨＤＤ１０５に対するアドレス帳のアドレス情報の登録は、アドレス帳のアドレス情報を受け取った時点としてもよいし、第３のレベルを検出した後の第２のレベルを検出した時点で行ってもよい。ＨＤＤ１０５に対するアドレス帳のアドレス情報の登録を第２のレベルを検出した時点とすると、第３のレベルを検出した時点でユーザーがＭＦＰ１００にアドレス帳のアドレス情報を送信したにも関わらず、ＭＦＰ１００から離れてしまうことで、第３のレベルを検出した後の第２のレベルが検出されないことによる情報の漏洩防止の処理を実行できる。すなわち、第３のレベルを検出した後、一定時間経過しても、第２のレベルを検出できなければＨＤＤ１０５へのアドレス帳のアドレス情報の登録が行われないようにすると、ＭＦＰ１００側にはアドレス帳のアドレス情報が残らないことになり、アドレス情報の漏洩を防止できる。
【００１８】
また、ＭＦＰ１００は、携帯端末２００からのビーコン信号の強度（dBm）の第１のレベルを検出すると、携帯端末２００が最も接近していると判断し、後述の図２に示すパネル部１０４にＨＤＤ１０５に登録したアドレス帳のアドレス情報を表示する。なお、ＭＦＰ１００は、携帯端末２００が発信するビーコン信号に含まれているログイン処理に必要なユーザーＩＤ等のユーザー識別情報を取得することで、取得したユーザー識別情報の実行により、パネル部１０４を介して行うログイン時での認証処理を省略できる。これにより、携帯端末２００を使用するユーザーによるパネル部１０４を介してのユーザーＩＤ等の入力によるログイン操作が不要となる。
【００１９】
また、ＭＦＰ１００は、携帯端末２００からのビーコン信号の強度（dBm）の第１のレベルを検出した後、第２のレベルを検出した場合、ユーザーが離れたと判断し、後述の図２に示すＨＤＤ１０５に登録したアドレス帳のアドレス情報を削除する。なお、ＨＤＤ１０５に登録したアドレス帳のアドレス情報の削除のタイミングとなるレベルは、第２のレベルに限定されるものではなく、第３のレベルであってもよい。このように、ユーザーがＭＦＰ１００から離れた場合、ＨＤＤ１０５に登録したアドレス帳のアドレス情報を削除することで、アドレス情報の漏洩を防止できる。
【００２０】
次に、図２を参照し、ＭＦＰ１００及び携帯端末２００の構成の一例について説明する。まず、ＭＦＰ１００は、プリンター部１０１、Ｉ／Ｆ（インターフェース）１０２、ビーコン受信器１０３、パネル部１０４、ＨＤＤ１０５を制御する制御部１１０を備えている。なお、ＭＦＰ１００は、スキャナー部、ＦＡＸ部等を備えていてもよい。
【００２１】
プリンター部１０１は、制御部１１０から出力される印刷データに基づき、図示しない用紙上に画像を印刷するデバイスである。Ｉ／Ｆ１０２は、ネットワークを介し、携帯端末２００との通信を受け持つ。なお、Ｉ／Ｆ１０２は、コンテンツサーバーやウェブサーバーなどとの通信を受け持ってもよい。また、Ｉ／Ｆ１０２は、図示しない送受信部を介し、無線ＬＡＮのWi-Fi（登録商標）、Wi-Fi Direct（登録商標）、近距離通信のBluetooth（登録商標）等のそれぞれの通信方式により、携帯端末２００との通信を受け持ってもよい。
【００２２】
ビーコン受信器１０３は、携帯端末２００が発信するビーコン信号を受信する。パネル部１０４は、ＭＦＰ１００の印刷機能、コピー機能、ＦＡＸ機能、ネットワーク経由でのデータ送受信機能や、各種設定のための表示を行うタッチパネル等のデバイスである。
【００２３】
ＨＤＤ１０５は、ＭＦＰ１００の種々の機能を提供するためのアプリケーションプログラム等を記憶している記憶デバイスである。また、ＨＤＤ１０５は、たとえば携帯端末２００や図示しないユーザー端末から登録された印刷ジョブを記憶するユーザーボックスを有している。また、ＨＤＤ１０５は、携帯端末２００から送信されるアドレス帳のアドレス情報を登録する。
【００２４】
制御部１１０は、画像形成プログラムや制御プログラム等を実行してＭＦＰ１００全体の動作を制御するプロセッサーである。制御部１１０は、プリンター制御部１１１、通信制御部１１２、ビーコン制御部１１３、ＲＡＭ(Random Access Memory)１１４、ＲＯＭ（Read-Only Memory）１１５、信号強度検出部１１６、画像処理部１１７、パネル操作制御部１１８、ＨＤＤ制御部１１９、システム制御部１２０を備えている。また、これらは、データバス１２１に接続されている。プリンター制御部１１１は、プリンター部１０１の印刷動作を制御する。通信制御部１１２は、Ｉ／Ｆ１０２を介し、ネットワーク経由でのデータ等の送受信の制御を行う。
【００２５】
ビーコン制御部１１３は、ビーコン受信器１０３の動作を制御する。ＲＡＭ１１４は、プログラムを実行するためのワークメモリーである。ＲＯＭ１１５には、各部の動作チェック等を行う制御プログラムが記憶されている。信号強度検出部１１６は、携帯端末２００が発信するビーコン信号の強度（dBm）を検出する。画像処理部１１７は、たとえばＨＤＤ１０５のユーザーボックスに登録された印刷ジョブに対する画像処理（ラスタライズ）を行う。なお、システム制御部１２０は、画像処理部１１７が画像処理した印刷データを、一旦、ＲＡＭ１１４に記憶させる。
【００２６】
パネル操作制御部１１８は、パネル部１０４の表示動作を制御する。また、パネル操作制御部１１８は、パネル部１０４を介し、印刷、コピー、ＦＡＸ、ネットワーク経由でのデータ送受信等の開始の設定等を受け付ける。ＨＤＤ制御部１１９は、ＨＤＤ１０５に対するデータの読み込み及び書き込み等を制御する。
【００２７】
システム制御部１２０は、各部の連携動作を制御する。また、システム制御部１２０は、パネル部１０４、又は携帯端末２００からのたとえば印刷指示を受け付けると、画像処理部１１７に対する画像処理の指示、プリンター制御部１１１に対するプリンター部１０１による印刷の指示等を行う。また、システム制御部１２０は、詳細については後述するが、信号強度検出部１１６が検出したビーコン信号の強度（dBm）を元に、上述した第１のレベル〜第３のレベルの変化を確認し、携帯端末２００に対しアドレス帳の登録を促すメッセージの通知に加え、携帯端末２００から受け取ったアドレス帳のアドレス情報の登録、表示、削除の処理を実行する。
【００２８】
携帯端末２００は、アンテナ２０１、パネル部２０２を制御する制御部２１０を備えている。アンテナ２０１は、図示しない無線基地局との間での電波を送受信する。また、アンテナ２０１は、後述のビーコン発生部２１４が発生させたビーコン信号を一定出力で送信する。また、アンテナ２０１は、次の通信方式により、ＭＦＰ１００からのアドレス帳の登録を促すメッセージを受信したり、後述のアドレス帳管理部２１５が管理しているアドレス情報を送信したりする。すなわち、通信方式がWi-Fi（登録商標）の場合、図示しない無線ＬＡＮルーターを介し、ＭＦＰ１００との間で電波を送受信する。また、アンテナ２０１は、通信方式がＰ２Ｐ（Peer to Peer）（例えば、Wi-Fi Direct（登録商標）、Bluetooth（登録商標））の場合、ＭＦＰ１００の図示しない送受信部との間で電波を送受信する。
【００２９】
制御部２１０は、制御プログラム等を実行して携帯端末２００全体の動作を制御するプロセッサーである。制御部２１０は、通信制御部２１１、ＲＡＭ２１２、ＲＯＭ２１３、ビーコン発生部２１４、アドレス帳管理部２１５、パネル操作制御部２１６、システム制御部２１７を備えている。また、これらは、データバス２１８に接続されている。
【００３０】
通信制御部２１１は、アンテナ２０１を介し、ネットワーク経由でのデータ等の送受信の制御を行う。また、通信制御部２１１は、ビーコン発生部２１４が発生させたビーコン信号をアンテナ２０１を介し送信する。また、通信制御部２１１は、アンテナ２０１を介しＭＦＰ１００からのアドレス帳の登録を促すメッセージを受信したり、アドレス帳管理部２１５が管理しているアドレス情報を送信したりする。ＲＡＭ２１２は、プログラムを実行するためのワークメモリーである。ＲＯＭ２１３には、各部の動作チェック等を行う制御プログラムが記憶されている。ビーコン発生部２１４は、ビーコン信号を発生させる。アドレス帳管理部２１５は、たとえばパネル部２０２を介して登録されたアドレス情報を管理する。パネル操作制御部２１６は、パネル部２０２の表示動作を制御する。
【００３１】
システム制御部２１７は、各部の連携動作を制御する。また、システム制御部２１７は、ビーコン発生部２１４が発生させたビーコン信号を通信制御部２１１を介して送信させる。また、システム制御部２１７は、通信制御部２１１を介してビーコン信号を送信させる際、ビーコン信号にユーザーＩＤ等のユーザー識別情報を含ませる。また、システム制御部２１７は、ＭＦＰ１００からのアドレス帳の登録を促すメッセージを受け取った場合、パネル部２０２を介してアドレス帳の登録指示があると、アドレス帳管理部２１５が管理しているアドレス帳のアドレス情報を、メッセージに含まれる識別情報（たとえば、ＭＡＣアドレス、及びＩＰアドレス）を元に、通信制御部２１１を介してメッセージを通知したＭＦＰ１００に送信する。この場合、システム制御部２１７は、パネル部２０２を介してアドレス帳の指定、又はアドレス帳のリストの選択等の指示があると、指定されたアドレス帳のアドレス情報又は選択されたアドレス帳のリストを通信制御部２１１を介してメッセージを通知したＭＦＰ１００に送信する。
【００３２】
次に、図３を参照し、携帯端末２００が発信するビーコン信号の強度（dBm）について説明する。図３は、ＭＦＰ１００のシステム制御部１２０が信号強度検出部１１６の検出したビーコン信号の強度（dBm）に基づき、携帯端末２００の位置を判断する際に参照する距離判断グラフの一例を示している。図３に示す距離判断グラフ１３０は、横軸に携帯端末２００までの距離（ｍ）を示し、縦軸に携帯端末２００が発信するビーコン信号の強度（dBm）を示している。
【００３３】
すなわち、携帯端末２００が発信するビーコン信号の強度（dBm）は、距離の２乗に反比例して減衰する。ここで、システム制御部１２０は、信号強度検出部１１６がビーコン信号の強度（dBm）をたとえば−３０dBm(0.001mW)と検出した場合、距離判断グラフ１３０から携帯端末２００までの距離をたとえば１ｍと判断する。また、システム制御部１２０は、信号強度検出部１１６がビーコン信号の強度（dBm）をたとえば−６３dBm(0.00000005mW)と検出した場合、距離判断グラフ１３０から携帯端末２００までの距離をたとえば１２ｍと判断する。また、システム制御部１２０は、信号強度検出部１１６がビーコン信号の強度（dBm）をたとえば−６７dBm(0.00000001mW)と検出した場合、距離判断グラフ１３０から携帯端末２００までの距離をたとえば２０ｍと判断する。
【００３４】
なお、システム制御部１２０は、信号強度検出部１１６が検出したビーコン信号の強度（dBm）を、上述したように、たとえば第１のレベル〜第３のレベルの３段階に分け、それぞれのレベルで、携帯端末２００に対しアドレス帳の登録を促すメッセージの通知に加え、携帯端末２００から受け取ったアドレス帳のアドレス情報の登録、表示、削除の処理を実行する。
【００３５】
次に、図４を参照し、ＭＦＰ１００側での処理について説明する。なお、以下の説明では、ＨＤＤ１０５に対するアドレス帳のアドレス情報の登録は、第３のレベルを検出した後、第２のレベルを検出した時点で行うものとする。また、以下の説明では、携帯端末２００からのビーコン信号は、一定間隔（たとえば１秒間隔）で発信されるものとする。また、ＭＦＰ１００の信号強度検出部１１６は、一定間隔（たとえば１秒間隔）でビーコン信号の強度（dBm）を検出するものとする。また、第１のレベルは、ビーコン信号の強度（dBm）が最も高いものとし、たとえば−３０dBmであり、発信元の携帯端末２００からたとえば１ｍの位置で検出できるものとする。また、第２のレベルは、ビーコン信号の強度（dBm）が第１のレベルの次に高いものとし、たとえば−６３dBmであり、発信元の携帯端末２００からたとえば１２ｍの位置で検出できるものとする。また、第３のレベルは、ビーコン信号の強度（dBm）が第２のレベルの次に高いものとし、たとえば−６７dBmであり、発信元の携帯端末２００からたとえば２０ｍの位置で検出できるものとする。
【００３６】
（ステップＳ１０１）
システム制御部１２０は、ビーコン信号を受信したかどうかを判断する。
この場合、システム制御部１２０は、ビーコン制御部１１３からビーコン信号を受信したことを知らせる通知が無ければビーコン信号を受信していないと判断する（ステップＳ１０１：Ｎｏ）。
これに対し、システム制御部１２０は、ビーコン制御部１１３からビーコン信号を受信したことを知らせる通知が有ればビーコン信号を受信したと判断し（ステップＳ１０１：Ｙｅｓ）、ステップＳ１０２に移行する。
【００３７】
（ステップＳ１０２）
システム制御部１２０は、ビーコン信号の強度（dBm）を検出させる。
この場合、システム制御部１２０は、信号強度検出部１１６に対し、ビーコン信号の強度（dBm）を検出させる。
このとき、信号強度検出部１１６は、携帯端末２００から一定間隔（たとえば１秒間隔）で発信されるビーコン信号の強度（dBm）を、一定間隔（たとえば１秒間隔）で検出し、システム制御部１２０に通知する。
【００３８】
（ステップＳ１０３）
システム制御部１２０は、検出結果を受け取ったかどうかを判断する。
この場合、システム制御部１２０は、信号強度検出部１１６からの通知が無ければ検出結果を受け取っていないと判断する（ステップＳ１０３：Ｎｏ）。
これに対し、システム制御部１２０は、信号強度検出部１１６からの通知が有れば検出結果を受け取ったと判断し（ステップＳ１０３：Ｙｅｓ）、ステップＳ１０４に移行する。
このとき、システム制御部１２０は、ビーコン信号に含まれている携帯端末２００に接続するための接続情報と、ＭＦＰ１００でのログイン処理に必要なユーザーＩＤ等のユーザー識別情報とを取得する。
【００３９】
（ステップＳ１０４）
システム制御部１２０は、信号強度検出部１１６から受け取ったビーコン信号の強度（dBm）が第３のレベルかどうかを判断する。
この場合、システム制御部１２０は、信号強度検出部１１６から受け取ったビーコン信号の強度（dBm）が第３のレベルであると判断すると（ステップＳ１０４：Ｙｅｓ）、ステップＳ１０５に移行する。
これに対し、システム制御部１２０は、信号強度検出部１１６から受け取ったビーコン信号の強度（dBm）が第３のレベルでないと判断すると（ステップＳ１０４：Ｎｏ）、ステップＳ１０６に移行する。
【００４０】
（ステップＳ１０５）
システム制御部１２０は、アドレス帳の登録を促すメッセージを送信する。
この場合、システム制御部１２０は、通信制御部１１２を介し、ビーコン信号に含まれている接続情報を元に、携帯端末２００に対してアドレス帳の登録を促すメッセージを送信する。
【００４１】
（ステップＳ１０６）
システム制御部１２０は、信号強度検出部１１６から受け取ったビーコン信号の強度（dBm）が第２のレベルかどうかを判断する。
この場合、システム制御部１２０は、信号強度検出部１１６から受け取ったビーコン信号の強度（dBm）が第２のレベルであると判断すると（ステップＳ１０６：Ｙｅｓ）、ステップＳ１０７に移行する。
これに対し、システム制御部１２０は、信号強度検出部１１６から受け取ったビーコン信号の強度（dBm）が第２のレベルでないと判断すると（ステップＳ１０６：Ｎｏ）、ステップＳ１１０に移行する。
【００４２】
（ステップＳ１０７）
システム制御部１２０は、第１のレベルが検出済みかどうかを判断する。
この場合、システム制御部１２０は、信号強度検出部１１６から受け取ったビーコン信号の強度（dBm）が第３のレベルのみである場合、第１のレベルが検出済みでないと判断し（ステップＳ１０７：Ｎｏ）、ステップＳ１０８に移行する。
これに対し、システム制御部１２０は、信号強度検出部１１６から第１のレベルのビーコン信号の強度（dBm）を受け取っている場合、第１のレベルが検出済みと判断し（ステップＳ１０７：Ｙｅｓ）、ステップＳ１１３に移行する。
【００４３】
（ステップＳ１０８）
システム制御部１２０は、アドレス帳のアドレス情報を受け取ったかどうかを判断する。
この場合、システム制御部１２０は、通信制御部１１２からアドレス帳のアドレス情報を受け取ったことを示す通知が無ければアドレス帳のアドレス情報を受け取っていないと判断する（ステップＳ１０８：Ｎｏ）。
これに対し、システム制御部１２０は、通信制御部１１２からアドレス帳のアドレス情報を受け取ったことを示す通知が有ればアドレス帳のアドレス情報を受け取ったと判断し（ステップＳ１０８：Ｙｅｓ）、ステップＳ１０９に移行する。
【００４４】
（ステップＳ１０９）
システム制御部１２０は、アドレス帳のアドレス情報を登録させる。
この場合、システム制御部１２０は、ＨＤＤ制御部１１９に対し、ＨＤＤ１０５にアドレス帳のアドレス情報を登録させる。
【００４５】
（ステップＳ１１０）
システム制御部１２０は、信号強度検出部１１６から受け取ったビーコン信号の強度（dBm）が第１のレベルかどうかを判断する。
この場合、システム制御部１２０は、信号強度検出部１１６から受け取ったビーコン信号の強度（dBm）が第１のレベルでないと判断すると（ステップＳ１１０：Ｎｏ）、第１のレベルが検出されるまで待機する。
これに対し、システム制御部１２０は、信号強度検出部１１６から受け取ったビーコン信号の強度（dBm）が第１のレベルであると判断すると（ステップＳ１１０：Ｙｅｓ）、ステップＳ１１１に移行する。
【００４６】
（ステップＳ１１１）
システム制御部１２０は、アドレス帳のアドレス情報を表示させる。
この場合、システム制御部１２０は、既に取得しているＭＦＰ１００でのログイン処理に必要なユーザーＩＤ等のユーザー識別情報を元に、認証処理を実行し、パネル操作制御部１１８を介し、パネル部１０４にＨＤＤ１０５に登録したアドレス帳のアドレス情報を表示させる。
これにより、携帯端末２００を使用するユーザーによるパネル部１０４を介してのユーザーＩＤ等の入力によるログイン操作が不要となる。また、パネル部１０４を介してのアドレス帳のアドレス情報の表示の操作も不要となる。
また、ＨＤＤ１０５に登録したアドレス帳のアドレス情報に、ユーザーＩＤ等のユーザー識別情報を含ませておくことで、認証処理に成功したユーザーに該当するアドレス情報を確実にパネル部１０４に表示させることができる。
なお、システム制御部１２０は、信号強度検出部１１６が第１のレベルのビーコン信号を検出している期間のみパネル部１０４へのアドレス帳のアドレス情報の表示を継続させ、信号強度検出部１１６が第１のレベルより小さいレベルのビーコン信号を検出したらパネル部１０４へのアドレス帳のアドレス情報の表示を解除してもよい。
これにより、ユーザーがＭＦＰ１００から離れてもパネル部１０４でのアドレス帳のアドレス情報の表示が解除されるため、情報漏洩が防止される。
ここで、ユーザーは、パネル部１０４を介し、たとえばＦＡＸ機能を選択したとき、パネル部１０４に表示されているアドレス帳のアドレス情報から選択することで、相手先の接続情報の設定を容易に行える。
【００４７】
（ステップＳ１１２）
システム制御部１２０は、機能の利用が終了したかどうかを判断する。
この場合、システム制御部１２０は、たとえばＦＡＸ機能が選択されているとき、図示しないＦＡＸ制御部からの送信完了を示す通知が無ければ機能の利用が終了していないと判断すると（ステップＳ１１２：Ｎｏ）、ＦＡＸ制御部からの送信完了を示す通知が有るまで待機する。
これに対し、システム制御部１２０は、たとえばＦＡＸ機能が選択されているとき、図示しないＦＡＸ制御部からの送信完了を示す通知が有れば機能の利用が終了したと判断し（ステップＳ１１２：Ｙｅｓ）、ステップＳ１０３に戻る。
【００４８】
（ステップＳ１１３）
システム制御部１２０は、アドレス帳のアドレス情報を削除させる。
ここで、ユーザーがＭＦＰ１００でたとえばＦＡＸ送信を行った後、ＭＦＰ１００から離れると、信号強度検出部１１６によるビーコン信号の強度（dBm）が低下する。
そして、システム制御部１２０は、ステップＳ１０６で信号強度検出部１１６による検出結果が第２のレベルと判断すると、ステップＳ１０７で第１のレベルが検出済みであるため、ＨＤＤ制御部１１９に対し、ＨＤＤ１０５の登録されているアドレス帳のアドレス情報を削除させる。
これにより、ＨＤＤ１０５には、ユーザーから受け取ったアドレス帳のアドレス情報が残っていないため、情報漏洩を防止できる。
【００４９】
このように、本実施形態では、携帯端末２００により位置情報を示すビーコン信号（電波）を一定出力で送信し、携帯端末２００からのビーコン信号（電波）を受信するＭＦＰ１００（電子機器）により携帯端末２００との距離に応じたビーコン信号（電波）の強度の変化に合わせ、携帯端末２００から受け取ったアドレス帳のアドレス情報の登録と、表示と、削除とを実行する。
【００５０】
すなわち、ＭＦＰ１００（電子機器）が距離に応じた携帯端末２００からのビーコン信号（電波）の強度の変化に合わせ、携帯端末２００から受け取ったアドレス帳のアドレス情報の登録と、表示と、削除とを実行することで、ユーザーによるアドレス情報の登録、表示、削除に関わるそれぞれの操作を無くすことができる。また、ＭＦＰ１００（電子機器）が距離に応じた携帯端末２００からのビーコン信号（電波）の強度の変化に合わせ、登録したアドレス帳のアドレス情報を削除することで、アドレス情報の漏洩を確実に防止できる。このように、ユーザーによるアドレス情報の登録、表示、削除に関わるそれぞれの操作を無くし、併せてアドレス情報の漏洩を防止することで、ユーザーの利便性と情報漏洩に対する安全性とを共に高めることができる。
【００５１】
また、本実施形態では、電子機器としてＭＦＰ１００を適用したが、これに限らず、プリンターや多機能プリンターに適用してもよい。
【符号の説明】
【００５２】
１００  ＭＦＰ
１０１  プリンター部
１０２  Ｉ／Ｆ
１０３  ビーコン受信器
１０４  パネル部
１０５  ＨＤＤ
１１０、２１０  制御部
１１１  プリンター制御部
１１２、２１１  通信制御部
１１３  ビーコン制御部
１１４、２１２  ＲＡＭ
１１５、２１３  ＲＯＭ
１１６  信号強度検出部
１１７  画像処理部
１１８、２１６  パネル操作制御部
１１９  ＨＤＤ制御部
１２０、２１７  システム制御部
１２１、２１８  データバス
１３０  距離判断グラフ
２００  携帯端末
２０１  アンテナ
２０２  パネル部
２１４  ビーコン発生部
２１５  アドレス帳管理部
【図１】
2019034518.tif 000003
【図２】
2019034518.tif 000004
【図３】
2019034518.tif 000005
【図４】
2019034518.tif 000006